(57)【要約】【課題】薬品を一緒に携行することが可能な携帯用コップを提供する。【解決手段】本体１と、本体１の開口部に取り付けられる蓋体２からなり、本体１は周壁１０を折り畳むことにより上下方向に伸縮可能としており、蓋体２は裏側に薬品収容部３を設けたものとしている。また、本体１の周壁１０が折り畳まれたときに、本体１の周壁１０と底部１１の間の空間４に蓋体２の薬品収容部３が収容されるようにしたものとすることができる。【選択図】図４
2012105790.tif 000002
【特許請求の範囲】
【請求項１】
本体（１）と、本体（１）の開口部に取り付けられる蓋体（２）からなり、本体（１）は周壁（１０）を折り畳むことにより上下方向に伸縮可能としており、蓋体（２）は裏側に薬品収容部（３）を設けたものとしていることを特徴とする携帯用コップ。
【請求項２】
本体（１）の周壁（１０）が折り畳まれたときに、本体（１）の周壁（１０）と底部（１１）の間の空間（４）に蓋体（２）の薬品収容部（３）が収容されるようにしている請求項１記載の携帯用コップ。
【発明の詳細な説明】
【技術分野】
【０００１】
この発明は、折り畳んで携帯することが可能な携帯用コップに関するものである。
【背景技術】
【０００２】
従来、折り畳んで携帯することが可能な携帯用コップとしては、特許文献１に記載のものがある。従来のこの種の携帯用コップは、ハイキング等の行楽向けのものとして使用されており、不使用時に折り畳んでコンパクトにすることができる。
【０００３】
しかし、外出先で薬品を飲むときに使用することは特に考慮されていなかったため、薬品を携行する場合は、携帯用コップとは別に、薬品を入れるための収納容器を用意しなければならず、不便であった。
【先行技術文献】
【特許文献】
【０００４】
【特許文献１】実公平７−１９３２７号公報
【発明の概要】
【発明が解決しようとする課題】
【０００５】
そこで、この発明は、薬品を一緒に携行することが可能な携帯用コップを提供することを課題とする。
【課題を解決するための手段】
【０００６】
前記課題を解決するため、この発明は次のような技術的手段を講じている。
【０００７】
この発明の携帯用コップは、本体１と、本体１の開口部に取り付けられる蓋体２からなり、本体１は周壁１０を折り畳むことにより上下方向に伸縮可能としており、蓋体２は裏側に薬品収容部３を設けたものとしている。
【０００８】
また、本体１の周壁１０が折り畳まれたときに、本体１の周壁１０と底部１１の間の空間４に蓋体２の薬品収容部３が収容されるようにしたものとすることができる。
【発明の効果】
【０００９】
この発明の携帯用コップは、上述のような構成を有しており、使用時に小さく折り畳めるとともに、薬品を薬品収容部３に入れて一緒に携行することが可能となっている。
【図面の簡単な説明】
【００１０】
【図１】この発明の実施形態の携帯用コップ（展開時）の斜視図である。
【図２】この発明の実施形態の携帯用コップ（折り畳み時）の正面図である。
【図３】この発明の実施形態の携帯用コップ（展開時）の断面図である。
【図４】この発明の実施形態の携帯用コップ（折り畳み時）の断面図である。
【図５】この発明の実施形態の携帯用コップの蓋体の裏側と薬品収容部を示す斜視図である。
【発明を実施するための形態】
【００１１】
以下、この発明の好適な実施形態を、図面を参照して説明する。
【００１２】
この携帯用コップは、本体１と、本体１の開口部に取り付けられる蓋体２からなり、本体１は周壁１０を折り畳むことにより上下方向に伸縮可能としており、蓋体２は裏側に薬品収容部３を設けたものとしている。
【００１３】
本体１は、シリコン樹脂製で、上段１０ａ、中段１０ｂ、下段１０ｃの３段からなる周壁１０と、周壁１０の下端に一体に形成された底部１１から構成されたものとしている。
【００１４】
本体１の周壁１０の各段間には、肉厚の薄くなった節部１０ｄ，１０ｅが形成されている。周壁１０は、上段１０ａ、中段１０ｂ、下段１０ｃの順に徐々に径が小さくなるようにしており、図１、図３に示したように、展開時、上段１０ａと下段１０ｃはほぼ垂直であるが、中段１０ｂは傾斜したものとなる。
【００１５】
底部１１は、円板状であり、周壁１０の下段１０ｃよりも径が大きく、携帯用コップを机等の上に置いた時に安定するようにしている。
【００１６】
蓋体２は、円板の周囲に周壁を設けた形状のものであり、本体１の周壁１０の上段１０ａを外嵌する大きさとしている。蓋体２はポリスチレン等の比較的硬質な合成樹脂製のものとすることができる。
【００１７】
蓋体２の裏側の中央には、薬品収容部３が着脱自在に設けられている。薬品収容部３には、各種の薬品やサプリメントの錠剤や、袋に入れた粉状のものを収容することができる。
【００１８】
薬品収容部３は短い有底円筒状であり、上端周縁に外方に突出する薬品収容部側係止突起３０が設けられている。薬品収容部側係止突起３０は鉤状の端部３０ａを有しており、複数か所に設けられている。
【００１９】
蓋体２の裏側の面には、薬品収容部３の上端周縁を外嵌する円形壁２０が形成されており、この円形壁２０の内側に、中央側に突出する蓋体側係止突起２１が設けられている。この蓋体側係止突起２１は周方向に沿って延びるもので、複数か所に設けられている。なお、蓋体２と薬品収容部３はこの構成に限定されず、薬品収容部３が蓋体２の円形壁２０を外嵌するようにし、薬品収容部側係止突起３０を薬品収容部３の上端周縁に内方に突出するようにして設け、蓋体側係止突起２１を蓋体２の円形壁２０の外側に設けることとしてもよい。
【００２０】
薬品収容部３を蓋体２に装着するときは、薬品収容部３の薬品収容部側係止突起３０のない部分と蓋体側係止突起２１の位置を合わせ、そして薬品収容部３を、薬品収容部側係止突起３０の鉤状の端部３０ａが蓋体側係止突起２１の一端に当たるまで回転させる。薬品収容部３を取り外すときは、この逆の操作を行う。
【００２１】
この携帯用コップを机の上において上から手のひらで押し付けると、周壁１０が前記節部１０ｄ，１０ｅで屈曲し、上段１０ａの内側に中段１０ｂ、中段１０ｂの内側に下段１０ｃが折り畳まれた状態になる。
【００２２】
折り畳まれた状態の本体１は、図２に示したように、側方からは、ほぼ周壁１０の上段１０ａと底部１１のみが見える態様となる。また、図４に示したように、本体１の内部には、折り畳まれた周壁１０の内側と底部１１との間の空間４が生じるようになっており、ここに薬品収容部３が収容されるようになっている。
【００２３】
このように、薬品収容部３は、携帯用コップと一緒に携行でき、しかも、折り畳まれた周壁１０の内側に収まるサイズであり、折り畳み時の携帯用コップのサイズに影響しないため、便利に使用することができる。
【００２４】
また、蓋体２は、図３に示したように上下の二重構造で、内部に種々の文字、図柄、人物、風景等を表示した台紙５を挿入し、上面側から当該表示が透過して見えるようにしており、例えば、台紙５に企業のロゴマークや、商品のマーク、写真等を表示することにより、この携帯用コップを企業のＰＲ等のためのギフト用商品として実施することができる。
【００２５】
以上がこの発明の好適な実施形態であるが、この発明は上述の実施形態の構成に限定されるものではなく、形状、寸法、材質等を適宜変更して実施することができる。
【符号の説明】
【００２６】
１  本体
１０  周壁
１１  底部
２  蓋体
３  薬品収容部
４  空間
【図１】
2012105790.tif 000003
【図２】
2012105790.tif 000004
【図３】
2012105790.tif 000005
【図４】
2012105790.tif 000006
【図５】
2012105790.tif 000007